(57)【要約】【課題】ポンプ内部に設置された犠牲陽極の消耗具合を正確に確認する。【解決手段】液体ポンプは、ポンプの内部に設置される犠牲陽極と、犠牲陽極を設置するための犠牲陽極設置部と、犠牲陽極と犠牲陽極設置部との間に配置された、任意の特定波長光に反応する蛍光性または蓄光性を有する第１の光反応部と、を備える。【選択図】図２
2015175267.tif 000002
【特許請求の範囲】
【請求項１】
液体ポンプであって、
前記液体ポンプの内部に設置される犠牲陽極と、
前記犠牲陽極を設置するための犠牲陽極設置部と、
前記犠牲陽極と前記犠牲陽極設置部との間に配置された、蛍光性または蓄光性を有する第１の光反応部と
を備える液体ポンプ
【請求項２】
請求項１に記載の液体ポンプであって、
前記犠牲陽極と前記犠牲陽極設置部との間には、空間が形成されており、
前記空間を形成する前記犠牲陽極設置部の表面に前記光反応部が配置されている
液体ポンプ。
【請求項３】
請求項１または請求項２に記載の液体ポンプであって、
前記犠牲陽極は、単一の犠牲陽極が複数積層された構造を有しており、
前記単一の犠牲陽極間には、蛍光性または蓄光性を有する第２の光反応部が配置され、
前記第１の光反応部と前記第２の光反応部とは、色が異なる
液体ポンプ。
【請求項４】
請求項１または請求項２に記載の液体ポンプであって、
前記犠牲陽極は、単一の犠牲陽極が複数積層された構造を有しており、
前記液体ポンプの内部から見て、第２層目以降の前記単一の犠牲陽極には、蛍光性または蓄光性を有する第２の光反応部が埋め込まれており、
前記第１の光反応部と前記第２の光反応部とは、色が異なる
液体ポンプ。
【請求項５】
請求項３または請求項４に記載の液体ポンプであって、
前記犠牲陽極は、前記単一の犠牲陽極が３層以上積層された構造を有しており、
前記第２の光反応部は、前記積層の方向において複数配置され、
前記複数の第２の光反応部の各々は、相互に色が異なる
液体ポンプ。
【請求項６】
請求項１または請求項２に記載の液体ポンプであって、
前記犠牲陽極を前記犠牲陽極設置部に固定するために前記犠牲陽極を貫通する取付部材を備え、
前記取付部材の表面には、蛍光性または蓄光性を有する第２の光反応部が形成されており、
前記第１の光反応部と前記第２の光反応部とは、色が異なる
液体ポンプ。
【請求項７】
液体ポンプシステムであって、
請求項１ないし請求項６のいずれか一項に記載の液体ポンプと、
前記犠牲陽極の設置個所を撮像するためのカメラであって、光源を有するカメラと、
前記カメラの撮像結果を表示するためのモニタと、
前記カメラの撮像結果を記憶するためのメモリと、
前記メモリに記憶された前記撮像結果と、新たな撮像結果と、を比較可能に画像処理する画像処理部と
を備える液体ポンプシステム。
【請求項８】
ポンプの維持管理方法であって、
蛍光性または蓄光性を有する第１の光反応部を、犠牲陽極と、液体ポンプのケーシングの犠牲陽極設置部と、の間に配置する工程と、
カメラを前記液体ポンプ内部の前記犠牲陽極設置部付近に挿入すると共に、特定波長光を前記犠牲陽極設置部に向けて照射する工程と、
前記犠牲陽極の少なくとも局部的な消耗によって前記第１の光反応部が露出している場合に前記照射した特定波長光に反応して前記第１の光反応部が発光することの有無を前記カメラで確認することにより前記犠牲陽極の消耗の程度を確認する工程と
を備えるポンプ維持管理方法。
【請求項９】
請求項８に記載のポンプ維持管理方法であって、
さらに、前記犠牲陽極の前記犠牲陽極設置部と反対側の端面と前記第１の光反応部との間に、前記第１の光反応部と色が異なる第２の光反応部を配置する工程を備え、
前記消耗の程度を確認する工程は、前記第１の光反応部または前記第２の光反応部が露出している場合に前記照射した特定波長光に反応して前記第１の光反応部または前記第２の光反応部が発光することの有無を確認することによって行われる
ポンプ維持管理方法。
【請求項１０】
請求項８又は請求項９記載のポンプ維持管理方法であって、
前記特定波長光は、ブラックライトである
ポンプ維持管理方法。
【発明の詳細な説明】
【技術分野】
【０００１】
本発明は、ポンプにおいて犠牲陽極の消耗状況を確認するための技術に関する。
【背景技術】
【０００２】
高潮対策などに用いられる立軸ポンプでは、海水を含んだ水をポンプアップすることにより、ポンプ羽根車（主にステンレス綱）とポンプケーシング（主に鋳鉄または鋼鉄）との間に電位差を生じ、電位が卑となる方のポンプケーシングが腐食してしまう。このため、防食対策として、ポンプケーシングよりも卑となる金属から成る犠牲陽極をポンプに設置することによりポンプケーシングの腐食を防ぐ犠牲陽極法が広く用いられている。この犠牲陽極法では、例えば、吊り下げケーシングの内部や、ポンプ羽根車よりも下方のベルマウスの内部に犠牲陽極が設置され、犠牲陽極が消耗して無くなった段階で新たな犠牲陽極が取り付けられる。
【０００３】
かかる犠牲陽極法を採用した立軸ポンプでは、犠牲陽極の取り付け位置がポンプの内部にあるので、ポンプを分解しなければ犠牲陽極の消耗状況を確認することができない。特に、立軸ポンプは、ポンプ機場の床下の水槽内に配置されるので、簡易な分解（例えば、ハンドホールからの目視）程度では犠牲陽極の消耗状況を確認することができず、大がかりな分解作業が必要になってしまう。つまり、犠牲陽極の消耗具合を頻繁に確認することは現実的とは言えない。このため、一般的には、犠牲陽極の設計寿命（３〜５年程度）を目安にポンプの引き上げを行い、犠牲陽極の消耗具合に依らず、犠牲陽極の交換を一律に行う手法が採られている。
【０００４】
かかる手法は、犠牲陽極の消耗具合に応じて犠牲陽極の交換を行うわけではないので、信頼性や経済性の面で改善の余地がある。具体的には、犠牲陽極の消耗具合は周囲の環境（例えば、水質変化、水位、ポンプの運転状況、塗装の劣化状態など）によって大きく左右される。このため、設計寿命に基づく犠牲陽極の交換は、犠牲陽極の消耗の進行が想定よりも速く、犠牲陽極が完全に消耗されてから相当程度時間が経過した後に行われる場合には、ポンプケーシングの腐食が進行してしまうことになる。逆に、犠牲陽極の消耗の進行が想定よりも遅く、必ずしも即刻交換が必要でないにもかかわらず、交換が行われる場合には、保守費用の増加が経済性を低下させることになる。このようなことから、光源を有する小型カメラをポンプの内部に挿入して、犠牲陽極の状況を撮像画像によって確認し、犠牲陽極の消耗具合に応じて適切な時期に犠牲陽極の交換を行う技術が開発されている（例えば、下記の特許文献１）。
【先行技術文献】
【特許文献】
【０００５】
【特許文献１】特開２００９−１５０２６２号公報
【発明の概要】
【発明が解決しようとする課題】
【０００６】
しかしながら、水中で撮像された画像は、必ずしも明瞭なものではない。例えば、水の透明度が低く濁っている場合には、撮像された画像によって犠牲陽極の消耗具合を確認することは困難になり得る。また、ポンプ内部のスペースの制約から、ポンプ内に挿入できるカメラや光源の大きさは限定されるので、光源不足となることもあり、犠牲陽極の消耗具合を十分に確認できない状況が生じ得る。しかも、犠牲陽極は、その全体が均一に消耗するとは限らないので、光源が不足した条件下では、犠牲陽極全体の腐食状況の確認がいっそう困難になる。このようなことから、犠牲陽極の消耗状況をより正確に確認できる技
術が求められる。かかる問題は、立軸ポンプに限らず、種々の液体ポンプに共通する。
【課題を解決するための手段】
【０００７】
本発明は、上述の課題の少なくとも一部を解決するためになされたものであり、例えば、以下の形態として実現することが可能である。
【０００８】
本発明の第１の形態によれば、液体ポンプが提供される。この液体ポンプは、液体ポンプの内部に設置される犠牲陽極と、犠牲陽極を設置するための犠牲陽極設置部と、犠牲陽極と犠牲陽極設置部との間に配置された、蛍光性または蓄光性を有する第１の光反応部と、を備える。
【０００９】
かかる液体ポンプによれば、光源を有するカメラを液体ポンプの内部に挿入し、犠牲陽極の設置箇所に光を照射する。犠牲陽極が消耗して第１の光反応部が露出している場合には、第１の光反応部が蛍光または蓄光によって光を発するので、その光を撮像することによって、犠牲陽極が少なくとも局部的には完全に消耗していることを容易に確認することができる。
【００１０】
本発明の第２の形態によれば、第１の形態において、犠牲陽極と犠牲陽極設置部との間には、空間が形成されており、空間を形成する犠牲陽極設置部の表面には光反応部が配置されている。かかる形態によれば、犠牲陽極を犠牲陽極設置部に取り付ける際に、第１の光反応部が犠牲陽極と接触することがない。したがって、第１の光反応部の損傷が抑制されるので、犠牲陽極の消耗具合の確認に対する信頼性が向上する。
【００１１】
本発明の第３の形態によれば、第１または第２の形態において、犠牲陽極は、単一の犠牲陽極が複数積層された構造を有している。単一の犠牲陽極間には、蛍光性または蓄光性を有する第２の光反応部が配置される。第１の光反応部と第２の光反応部とは、色が異なる。かかる形態によれば、犠牲陽極の消耗途中において第２の光反応部が露出し、第１の光反応部とは異なる色の光を発することになるので、犠牲陽極が少なくとも局部的に完全に消耗して第１の光反応部が露出する前に、犠牲陽極の消耗量を把握することができる。その結果、液体ポンプの状態管理と、犠牲陽極の交換時期の予測と、が可能になり、点検・交換計画を的確に立案することができる。
【００１２】
本発明の第４の形態によれば、第１または第２の形態において、犠牲陽極は、単一の犠牲陽極が複数積層された構造を有している。液体ポンプの内部から見て、第２層目以降の単一の犠牲陽極には、蛍光性または蓄光性を有する第２の光反応部が埋め込まれている。第１の光反応部と第２の光反応部とは、色が異なる。かかる形態によれば、第３の形態と同様の効果を奏する。
【００１３】
本発明の第５の形態によれば、第３または第４の形態において、犠牲陽極は、単一の犠牲陽極が３層以上積層された構造を有している。第２の光反応部は、積層の方向において複数配置される。複数の第２の光反応部の各々は、相互に色が異なる。かかる形態によれば、犠牲陽極の消耗量を複数段階で把握することができる。したがって、点検・交換計画を的確に立案することができる。
【００１４】
本発明の第６の形態によれば、第１または第２の形態において、液体ポンプは、犠牲陽極を犠牲陽極設置部に固定するために犠牲陽極を貫通する取付部材を備える。取付部材の表面には、蛍光性または蓄光性を有する第２の光反応部が形成されている。第１の光反応部と第２の光反応部とは、色が異なる。かかる形態によれば、第３または第４の形態と同様の効果を奏する。
【００１５】
本発明の第７の形態によれば、液体ポンプシステムが提供される。この液体ポンプシステムは、第１ないし第６のいずれかの形態の液体ポンプと、犠牲陽極の設置個所を撮像するためのカメラであって、光源を有するカメラと、カメラの撮像結果を表示するためのモニタと、カメラの撮像結果を記憶するためのメモリと、メモリに記憶された撮像結果と、新たな撮像結果と、を比較可能に画像処理する画像処理部と、を備える。かかる液体ポンプシステムによれば、過去の撮像結果と新た撮像結果とを比較できるので、犠牲陽極の消耗具合を正確に確認できる。
【００１６】
本発明の第８の形態によれば、ポンプの維持管理方法が提供される。この方法は、蛍光性または蓄光性を有する第１の光反応部を、犠牲陽極と、液体ポンプのケーシングの犠牲陽極設置部と、の間に配置する工程と、カメラを液体ポンプ内部の犠牲陽極設置部付近に挿入すると共に、特定波長光を犠牲陽極設置部に向けて照射する工程と、犠牲陽極の少なくとも局部的な消耗によって第１の光反応部が露出している場合に照射した特定波長光に反応して第１の光反応部が発光することの有無をカメラで確認することにより犠牲陽極の消耗の程度を確認する工程と、を備える。かかる方法によれば、請求項１と同様の効果を奏する。
【００１７】
本発明の第９の形態によれば、第８の形態において、さらに、犠牲陽極の犠牲陽極設置部と反対側の端面と第１の光反応部との間に、第１の光反応部と色が異なる第２の光反応部を配置する工程を備える。消耗の程度を確認する工程は、第１の光反応部または第２の光反応部が露出している場合に照射した特定波長光に反応して第１の光反応部または第２の光反応部が発光することの有無を確認することによって行われる。かかる方法によれば、第３の形態と同様の効果を奏する。
【００１８】
本発明の第１０の形態によれば、第８または第９の形態において、特定波長光は、ブラックライトである。
【００１９】
本発明は、上述の形態の他、液体ポンプの内部に設置された犠牲陽極の消耗具合を確認するための方法、などとしても実現可能である。
【図面の簡単な説明】
【００２０】
【図１】本発明の一実施例としての立軸ポンプシステムの概略構成を示す断面図である。
【図２】犠牲陽極の周辺の構成を示す概略図である。
【図３】犠牲陽極の周辺の構成の代替構成を示す概略図である。
【図４】犠牲陽極の周辺の構成の代替構成を示す概略図である。
【図５】犠牲陽極の代替構成を示す概略図である。
【図６】犠牲陽極の代替構成を示す概略図である。
【図７】犠牲陽極の周辺の構成の代替構成を示す概略図である。
【図８】本発明に関連する他の態様の立軸ポンプシステムの代替構成を部分的に示す概略図である。
【図９】本発明に関連する他の態様の立軸ポンプシステムの概略構成を示す断面図である。
【図１０】図９に示す態様における犠牲陽極の周辺の構成を示す概略図である。
【発明を実施するための形態】
【００２１】
Ａ．実施例：
図１は、本発明の設備の一実施例としてのポンプシステム２０の概略構成を示す。ポンプシステム２０は、立軸ポンプ３０と原動機３９と、モニタ４１，４２と、カメラ４３，４４とを備えている。立軸ポンプ３０は、吊下管３１と、ポンプボウル３２と、吸込ベルマウス３３と、シャフト３４と、外軸受３５と、水中軸受３６と、インペラ３７とを備え
ている。鉛直方向に延在するシャフト３４は、外軸受３５と水中軸受３６とによって支承されている。このシャフト３４の下端には、ポンプボウル３２の内部においてインペラ３７が設けられている。シャフト３４の上端には、原動機３９が連結されている。原動機３９は、原動機台３９ａに据え付けられている。
【００２２】
ポンプ据付床９０には、ポンプ据付床９０を貫通するポンプ据付孔９１が形成されており、その下方には、水槽９２が配置されている。ポンプ据付孔９１の上側の端部には、ベース９３が周方向の全体に亘って形成されている。立軸ポンプ３０は、吊下管３１がポンプ据付孔９１から水槽９２内に吊り下げられるように、ベース９３上に据え付けられている。かかるポンプシステム２０では、原動機３９によって提供される駆動力によってシャフト３４が回転すると、同時にインペラ３７も回転し吸込ベルマウス３３から上方に水が汲み上げられる。図１では、水槽９２の水位は、ポンプボウル３２の付近に位置しているが、この水位は、状況によっては、ポンプ据付孔９１のすぐ下方まで上昇する。
【００２３】
かかる立軸ポンプ３０において、吊下管３１の内部および吸込ベルマウス３３の内部には、犠牲陽極５０，８０が設けられている。かかる犠牲陽極５０，８０は、ケーシング（吊下管３１、ポンプボウル３２および吸込ベルマウス３３）よりもイオン化傾向が大きい金属（亜鉛が代表的）で形成されており、ケーシングよりも先に腐食することによって、ケーシングの腐食を防止する。この犠牲陽極５０，８０は消耗部品であり、犠牲陽極５０，８０が腐食によって消耗すると、新たな犠牲陽極が設置される。この新たな犠牲陽極の設置の時期を判断するために、モニタ４１，４２およびカメラ４３，４４によって、犠牲陽極５０，８０の消耗具合が確認される。
【００２４】
カメラ４３，４４は、光源を有しており、回動可能に構成されている。これらのカメラ４３，４４は、任意の方法によって立軸ポンプ３０の内部に挿入される。例えば、カメラ４３は、立軸ポンプ３０の地上部分のケーシング（吐出曲管）に形成されたハンドホール３８から犠牲陽極５０の設置箇所まで挿入される。例えば、カメラ４４は、ベース９３の付近で立軸ポンプ３０に設けられた点検口９４から犠牲陽極８０の設置箇所まで挿入される。立軸ポンプ３０の内部または外部には、カメラ４４，４５を犠牲陽極５０，８０の付近まで案内する案内手段が設けられていてもよい。
【００２５】
モニタ４１，４２は、それぞれ、カメラ４３，４４と通信可能に接続されており、カメラ４３，４４で撮像した画像を表示可能に構成されている。本実施例では、モニタ４１，４２には、カメラ４４，４５で撮像した画像を記憶するためのメモリと、当該メモリに記憶された撮像画像（以下、旧画像とも呼ぶ）と新たな撮像画像（以下、新画像とも呼ぶ）とを比較可能に画像処理する画像処理部と、が内蔵されている。画像処理部は、例えば、メモリに記憶されたプログラムを実行可能なＣＰＵの機能として実現することができる。画像処理部は、例えば、旧画像と新画像とを同時に並べてモニタ４１，４２に表示するために旧画像と新画像との合成画像データを生成する機能とすることができる。
【００２６】
図２は、犠牲陽極５０の周辺の構成を示す概略図である。吊下管３１には、孔部３１ａが形成されており、この孔部３１ａは、犠牲陽極５０を設置するための犠牲陽極設置部７０によって吊下管３１の外側から塞がれている。この犠牲陽極設置部７０は、例えば、吊下管３１と同じ材質のプレートである。犠牲陽極設置部７０は、例えば、ボルト（図示省略）によって吊下管３１に固定される。犠牲陽極設置部７０のポンプ内部側の面には、犠牲陽極５０が設けられている。犠牲陽極５０と犠牲陽極設置部７０との間には、光反応部６０が設けられている。光反応部６０は、本実施例では、蛍光性を有する材料によって形成されている。光反応部６０は、例えば、犠牲陽極設置部７０または犠牲陽極５０の表面に形成された塗装膜であってもよいし、犠牲陽極５０と犠牲陽極設置部７０とで挟持されたシート状部材であってもよい。犠牲陽極５０、光反応部６０および犠牲陽極設置部７０
は、例えば、これらを貫通するボルト（図示省略）によって相互に固定される。このように、犠牲陽極設置部７０と吊下管３１とを別体構造とすることによって、犠牲陽極５０の取り替え作業が容易になる。
【００２７】
かかる犠牲陽極５０が腐食によって少なくとも局部的に完全に消耗すると、光反応部６０が露出した状態になる。かかる状態において、犠牲陽極５０の設置箇所に向けて、カメラ４３からブラックライト（波長が３２０〜４００ｎｍ程度の不可視光）を照射すると、光反応部６０は、蛍光反応によって発光する。この画像をカメラ４３によって撮像すれば、犠牲陽極５０の消耗箇所が非常に明るい撮像画像となって得ることができる。一方、犠牲陽極５０が完全には消耗していない状態において犠牲陽極５０にブラックライトを照射すると、光反応部６０は露出していないので、このような発光した画像は得られず、比較的暗い画像が得られることになる。このように、犠牲陽極５０が完全に消耗しているか否かに応じて、撮像画像に大きな明暗の差が生じるので、犠牲陽極５０が完全に消耗しているか否かを正しく確認することができる。なお、説明を省略するが、犠牲陽極８０は、犠牲陽極５０と同じ構成を備えているため、犠牲陽極８０の消耗状況についても、同様にカメラ４４を使用して確認することができる。
【００２８】
かかる犠牲陽極５０の周辺の構成について、いくつかの代替構成について説明する。以下の説明およびそれに関連する図において、図２に示した構成要素に対応する構成要素には、図２で使用した符号の末尾に「ａ」などのアルファベットを付すことによって説明の重複を避け、図２と異なる点についてのみ説明する。
【００２９】
図３は、犠牲陽極５０の周辺の構成の代替構成を示す。この例では、犠牲陽極設置部７０ａは、平板状の基部７１ａと、基部７１ａから吊下管３１の内側に向けてリング状に突出した突出部７２ａと、を備えている。犠牲陽極５０ａは、この突出部７２ａに取り付けられている、その結果、犠牲陽極５０ａと犠牲陽極設置部７０ａとの間には、空間７３ａが形成されている。そして、空間７３ａを形成する突出部７２ａの内面（水平方向の面）７４ａと、空間７３ａを形成する基部７１ａの内面（鉛直方向の面）７５ａには、光反応部６０ａが形成されている。
【００３０】
かかる構成によれば、犠牲陽極５０ａを犠牲陽極設置部７０ａに取り付ける際に、光反応部６０ａが犠牲陽極５０ａと接触することがない。したがって、摩擦等によって光反応部６０ａが損傷することが抑制され、犠牲陽極５０ａの消耗具合の確認に対する信頼性が向上する。しかも、光反応部６０ａは、方向が異なる複数の面（内面７４ａ，７５ａ）上に形成されるので、カメラ４３を犠牲陽極５０ａに向けて配置する際のカメラ４３の向きの許容度が広がるので、カメラ４３による視認性が向上する。
【００３１】
図４は、犠牲陽極５０の周辺の構成の他の代替構成を示す。この例では、犠牲陽極５０ｂは、単一の犠牲陽極５１ｂ，５２ｂ，５３ｂが積層された構造を有している。また、これらの犠牲陽極５１ｂ，５２ｂ，５３ｂの各々の間には、光反応部６１ｂ，６２ｂがそれぞれ配置されている。犠牲陽極５０ｂと犠牲陽極設置部７０との間には、図２と同様に光反応部６３ｂが配置されている。光反応部６１ｂ，６２ｂ，６３ｂの各々は、相互に色が異なる。
【００３２】
かかる構成によれば、犠牲陽極５０ｂの消耗途中において犠牲陽極５１ｂまたは犠牲陽極５２ｂが露出した状態で、カメラ４３による撮像で犠牲陽極５０ｂの消耗具合の確認を行えば、光反応部６１ｂまたは光反応部６２ｂが、光反応部６３ｂとは異なる色の光を発するので、犠牲陽極５０ｂが完全に消耗される前に、犠牲陽極５０ｂの消耗量を段階的に把握することができる。その結果、立軸ポンプ３０の状態管理と、犠牲陽極５０ｂの交換時期の予測と、が可能になり、点検・交換計画を的確に立案することができる。なお、犠
牲陽極５０ｂは３層構造となっているが、２層構造を有していてもよいし、４層以上の構造を有していてもよい。
【００３３】
図５は、犠牲陽極５０の他の代替構成を示す。この例では、犠牲陽極５０ｃは、単一の犠牲陽極５１ｃ，５２ｃ，５３ｃが積層された構造を有している。これらの単一の犠牲陽極５１ｃ，５２ｃ，５３ｃのうち、立軸ポンプ３０の内部から外側に向かって、第２層目以降の単一の犠牲陽極５２ｃ，５３ｃには、それぞれ、光反応部６１ｃ，６２ｃが埋め込まれている。光反応部６１ｃ，６２ｃの各々は、相互に色が異なっている。図示は省略するが、図４と同様に、犠牲陽極５０ｃと犠牲陽極設置部７０との間にも、光反応部６１ｃ，６２ｃと異なる色の光反応部が配置される。かかる構成によれば、図４に示した構成と同様の効果を奏する。
【００３４】
図６は、犠牲陽極５０の他の代替構成を示す。この例では、犠牲陽極５０ｄは、単層構造を有している。犠牲陽極５０ｄを犠牲陽極設置部７０に固定するために犠牲陽極５０ｄを厚み方向に貫通する取付部材５５ｄ（例えばボルトであり、簡略図示している）の表面には、それぞれ色が異なる光反応部６１ｄ，６２ｄ，６３ｄが形成されている。ボルトはステンレス製を用いることが多いが、ボルトが腐食によって削れることはほぼ無い。犠牲陽極５０ｄのみが減るので、ボルトに付着させた光反応部６１ｄ，６２ｄ，６３ｄが次々に露出してくる。かかる構成によっても、図４に示した構成と同様の効果を奏する。
【００３５】
図７は、犠牲陽極５０の周辺の構成の他の代替構成を示す。この例では、ケーシング（ここでは、吊下管）３１の内面に塗装によって光反応部６０ｅが形成されており、さらにその表面に、塗装によって犠牲陽極５０ｅが形成されている。この例では、ケーシング３１は、上述の犠牲陽極設置部７０（犠牲陽極５０ｅを取り付けるための部材）として機能している。
【００３６】
Ｂ．変形例：
Ｂ−１．変形例１：
上述の実施例では、ブラックライトを犠牲陽極に照射する態様を例示したが、ブラックライトに代えて、任意の波長の光を照射することもできる。この場合、光反応部には、照射する光によって蛍光反応または蓄光反応が生じる材料を使用することができる。例えば、照射する光は、可視光、例えば、照明光やＬＥＤ照明であってもよい。この場合、光反応部には、蓄光性を有する材料を使用することができる。また、この場合、カメラから犠牲陽極の設置箇所に向けて光を照射し、その後、消灯して撮像することができる。犠牲陽極が消耗して光反応部が露出していれば、蓄光反応による発光がカメラで撮像される。ブルーライト（波長が３８０〜４９５ｎｍ程度の可視光）は、可視光の中で波長が短くエネルギーが高いので散乱しやすく、照射領域の壁面に傷がある場合には、いっそう散乱する。このため、傷の有無についても容易に確認できる。
【００３７】
Ｂ−２．変形例２：
カメラ４３，４４が有する光源は、照射光の波長を調節できることが望ましい。例えば、ブラックライトの波長域内での波長の変更、ブラックライトからブルーライトへの変更などが行えることが望ましい。かかる構成によれば、発光をカメラ４３，４４で確認しにくい場合に、波長を調節して、確認精度を向上させることができる。また、波長の調節は、地上からの遠隔操作によって行えることが望ましく、例えば、モニタ４１，４２が波長調節用ＧＵＩ（グラフィカルユーザインターフェース）を表示可能に構成されていてもよい。
【００３８】
Ｂ−３．変形例３：
図４〜６に示した構成は、犠牲陽極と犠牲陽極設置部との間に光反応部が配置されてい
ない構成にも適用可能である。例えば、図４において、光反応部６０ｂは、光反応部６１ｂと光反応部６２ｂのみから構成されていてもよい。かかる構成によれば、例えば、光反応部６２ｂが露出していることが確認された段階で犠牲陽極５０ｂを交換するなど、より安全側で立軸ポンプ３０の管理を行うことができる。
【００３９】
Ｂ−４．変形例４：
上述した種々の構成は、立軸ポンプ３０に限らず、任意の液体ポンプ、例えば、水中ポンプにも適用可能である。
【００４０】
Ｃ．他の態様：
Ｃ−１．態様１：
図８は、本発明に関連する他の態様の立軸ポンプシステムの代替構成を部分的に示す概略図である。この例では、ケーシング３１の内面に塗装（下塗り）によって第１の塗料層５８ｆが形成されており、その表面に塗装によって光反応部６０ｆが形成されており、さらに、その表面に塗装（最終塗装）によって第２の塗料層５７ｆが形成されている。この例では、犠牲陽極は使用されていない。かかる構成によれば、第２の塗料層５７ｆが異物衝突などによって剥がれた場合に、上述と同様の方法によって、光反応部６０ｆが露出していることを確認することができる。すなわち、塗装のダメージを容易に確認することができる。光反応部６０ｆは、図４〜６に示したように、ケーシング３１の厚み方向に離間する複数の層として形成されていてもよい。あるいは、図８に示した構成に加えて、または、代えて、光反応部がケーシング３１の内壁面上に形成されていてもよい。
【００４１】
Ｃ−２．態様２：
図９は、本発明に関連する他の態様の立軸ポンプシステム１２０の概略構成を示す断面図である。図９では、図１に示した構成要素と同一の構成要素に対して図１と同一の符号を付している。立軸ポンプシステム１２０は、光反応部６０（図２参照）に代えて注入管１１０を備えている点が図１に示したポンプシステム２０と異なっている。注入管１１０は、立軸ポンプ３０の外部において、地上部から立軸ポンプ３０に沿って水槽９２に延在しており、途中で第１の注入管１１１と第２の注入管１１２とに分岐している。第１の注入管１１１は、犠牲陽極５０が設けられた位置において立軸ポンプ３０に接続されている。第２の注入管１１２は、犠牲陽極８０が設けられた位置において立軸ポンプ３０に接続されている。
【００４２】
図１０は、犠牲陽極５０の周辺の構成を示す概略図である。図１０（ａ）に示す構成要素のうち、図３に示す構成要素と同一の構成要素には、図３と同一の符号を付している。図１０（ａ）に示すように、第１の注入管１１１は、犠牲陽極設置部７０ａの基部７１ａを貫通して、空間７３ａと連通している。説明は省略するが、第２の注入管１１２についても同様の態様で立軸ポンプ３０に接続されている。かかる態様において、犠牲陽極５０ａの消耗具合は、以下のようにして確認される。まず、地上から注入管１１０に蛍光性または蓄光性を有する液体を注入する。注入された液体は、第１の注入管１１１および第２の注入管１１２に導かれる。
【００４３】
この場合、消耗されずに残っている犠牲陽極５０ａが空間７３ａを完全に塞いでいれば、第１の注入管１１１に導かれた液体は、空間７３ａに滞留することになる。換言すれば、液体は、ケーシング３１の内部には流入しない。一方、犠牲陽極５０ａが完全に消耗していれば、あるいは、犠牲陽極５０ａが局部的に消耗し、ケーシング３１の内部と空間７３ａとを連通させる孔が形成されていれば、第１の注入管１１１に導かれた液体は、空間７３ａを通って、ケーシング３１の内部に流入する。かかる流入の有無を、カメラ４３を使用して上述の方法によって確認すれば、犠牲陽極５０ａの消耗具合を確認することができる。かかる構成によれば、立軸ポンプ３０の初期設置時に光反応部６０を設けておく必
要がなく、初期設置時からある程度期間が経過した後に、液体を注入してもよい。この場合、蛍光性または蓄光性を有する物質は経年劣化しにくいので、犠牲陽極５０ａの消耗具合の確認についての信頼性が向上する。説明は省略するが、第２の注入管１１２の接続箇所についても同様の手法で確認が可能である。
【００４４】
消耗されずに残っている犠牲陽極５０ａが空間７３ａを完全に塞いでいる場合、注入管１１０に一度注入された液体は、そのまま注入管１１０に残留することになる。このため、電極式、フリクト式など任意の形式の液位計を注入管１１０内に設けてもよい。かかる構成によれば、犠牲陽極５０ａが消耗し、ケーシング３１の内部と空間７３ａとが連通した場合に、注入管１１０の液位が低下するので、犠牲陽極５０ａの消耗が分かる。
【００４５】
図１０（ｂ）には、代替の構成を示す。この例では、犠牲陽極１５０には、犠牲陽極設置部７０側の表面に凹部が形成されており、その凹部に空間１５１が形成されている。第１の注入管１１１は、犠牲陽極設置部７０を貫通して、空間１５１に連通している。なお、犠牲陽極と犠牲陽極設置部との間の空間は、犠牲陽極側および犠牲陽極設置部側のいずれの側に形成されてもよい。
【００４６】
また、注入管１１０に注入する液体は、蛍光性または蓄光性を有する液体に限らず、任意の液体を使用することもできる。例えば、着色された液体を使用することでもよい。かかる構成によっても、液体がケーシング３１の内部に流入していることをカメラ４３，４４によって容易に確認できる。あるいは、図９に示す犠牲陽極５０の設置箇所のように、水槽９２の水位が犠牲陽極の設置箇所よりも低下している場合には、注入管１１０に注入する液体は、単なる水であってもよい。かかる構成によれば、液体がケーシング３１の内部の空間（水がない空間）に流入していることをカメラ４３，４４によって容易に確認できる。
【００４７】
以上、いくつかの実施例に基づいて本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその等価物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【００４８】
２０…ポンプシステム
３０…立軸ポンプ
３１…吊下管（ケーシング）
３１ａ…孔部
３２…ポンプボウル
３３…吸込ベルマウス
３４…シャフト
３５…外軸受
３６…水中軸受
３７…インペラ
３８…ハンドホール
３９…原動機
３９ａ…原動機台
４１，４２…モニタ
４３，４４…カメラ
５０，５０ａ〜５０ｅ，５１ｂ〜５３ｂ，５１ｃ〜５３ｃ，８０…犠牲陽極
５５ｄ…取付部材
５７ｆ…第２の塗料層
５８ｆ…第１の塗料層
６０，６０ａ〜６０ｆ，６１ｂ〜６３ｂ，６１ｃ，６２ｃ，６１ｄ〜６３ｄ…光反応部
７０，７０ａ…犠牲陽極設置部
７１ａ…基部
７２ａ…突出部
７３ａ…空間
７４ａ…内面
９０…ポンプ据付床
９１…ポンプ据付孔
９２…水槽
９３…ベース
９４…点検口
【図１】
2015175267.tif 000003
【図２】
2015175267.tif 000004
【図３】
2015175267.tif 000005
【図４】
2015175267.tif 000006
【図５】
2015175267.tif 000007
【図６】
2015175267.tif 000008
【図７】
2015175267.tif 000009
【図８】
2015175267.tif 000010
【図９】
2015175267.tif 000011
【図１０】
2015175267.tif 000012